Podtech/llm-jp-corpus-v4-ja_patent huggingface dataset:
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
スキャナ・デバイスを自動的にユーザに関連付ける方法であって、
バイオメトリック・センサを用いて構成されたスキャナ・デバイスによって、ユーザのバイオメトリック情報を捕捉するステップと、
前記スキャナ・デバイスによって商品の商品識別情報をスキャンするステップであって、前記捕捉したバイオメトリック情報および前記スキャンした商品識別情報をコンピューティング・デバイスに送信することができ、前記コンピューティング・デバイスが、前記捕捉したバイオメトリック情報を以前にストアしたバイオメトリック情報と比較して前記ユーザを識別し、これによって前記識別したユーザに前記スキャナ・デバイスを自動的に関連付けるように適合されており、前記商品識別情報をスキャンした前記商品も前記ユーザに関連付けられる、ステップと、
を含む、方法。
【請求項２】
前記商品識別情報をスキャンした前記商品を、前記ユーザに関連付けたバーチャル・ショッピング・カートに追加するステップを更に含む、請求項１に記載の方法。
【請求項３】
前記ユーザが前記スキャナ・デバイスを手に取ると前記捕捉ステップが自動的に呼び出される、請求項１に記載の方法。
【請求項４】
前記ユーザが前記バイオメトリック・センサに接触すると前記捕捉ステップが自動的に呼び出される、請求項１に記載の方法。
【請求項５】
前記スキャナ・デバイスがトリガ部を有するように構成され、
前記バイオメトリック・センサが前記トリガ部に配置され、
前記ユーザが前記トリガ部を押すと前記捕捉ステップが自動的に呼び出される、請求項１に記載の方法。
【請求項６】
前記コンピューティング・デバイスにおいて、前記捕捉したバイオメオトリック情報および前記スキャンした商品識別情報を受信するステップと、
前記受信したバイオメトリック情報を前記以前にストアしたバイオメトリック情報と比較し、これによって前記ユーザを識別するステップと、
前記比較するステップに応答して、前記スキャナ・デバイスを自動的に前記ユーザに関連付けるステップであって、前記スキャナ・デバイスが前記ユーザに関連付けられている間、以降スキャンされたあらゆる商品を自動的に前記ユーザに関連付けるようになっている、ステップと、
を更に含む、請求項１に記載の方法。
【請求項７】
自動的な関連付け解除が行われるまで、前記スキャナ・デバイスが前記識別されたユーザに関連付けされたままである、請求項１に記載の方法。
【請求項８】
前記ユーザが前記スキャナ・デバイスのセンサを活性化した場合に前記自動的な関連付け解除が行われる、請求項７に記載の方法。
【請求項９】
前記ユーザが前記スキャナ・デバイスとの物理的な接触を失った場合に前記センサが活性化されるように前記スキャナ・デバイスが構成されている、請求項８に記載の方法。
【請求項１０】
スキャナ・デバイスを自動的にユーザに関連付ける方法であって、
スキャナ・デバイスによってユーザの顧客愛用カードをスキャンすることで顧客愛用カード情報を捕捉するステップであって、前記捕捉した顧客愛用カード情報をコンピューティング・デバイスに送信することができ、前記コンピューティング・デバイスが、前記捕捉した顧客愛用カード情報を以前にストアした顧客愛用カード情報と比較して前記ユーザを識別し、これによって前記識別したユーザに前記スキャナ・デバイスを自動的に関連付けるように適合されている、ステップと、
前記ユーザが前記スキャナ・デバイスとの物理的な接触を失った場合に前記ユーザから前記スキャナ・デバイスを自動的に関連付け解除するステップと、
を含む、方法。
【請求項１１】
前記スキャナ・デバイスによって少なくとも１つの商品の商品識別情報をスキャンするステップと、
前記スキャンした商品識別情報を前記コンピューティング・デバイスに送信するステップであって、前記商品識別情報をスキャンした前記商品を、前記ユーザに関連付けたバーチャル・ショッピング・カートに追加することができるステップと、
を更に含む、請求項１０に記載の方法。
【請求項１２】
前記コンピューティング・デバイスにおいて、前記捕捉した顧客愛用カード情報を受信するステップと、
前記受信した顧客愛用カード情報を前記以前にストアした顧客愛用カード情報と比較し、これによって前記ユーザを識別するステップと、
前記比較するステップに応答して、前記スキャナ・デバイスを自動的に前記ユーザに関連付けるステップであって、前記スキャナ・デバイスが前記ユーザに関連付けられている間、以降スキャンされたあらゆる商品を自動的に前記ユーザに関連付けるようになっている、ステップと、
を更に含む、請求項１０に記載の方法。
【請求項１３】
スキャナ・デバイスを自動的にユーザから関連付け解除する方法であって、
スキャナ・デバイスによって捕捉された特定のユーザの識別情報を、複数のユーザの以前にストアされた識別情報と照合して、前記特定のユーザを前記スキャナ・デバイスに自動的に関連付けるステップと、
前記スキャナ・デバイスが前記特定のユーザに関連付けられている間、前記スキャナ・デバイスがスキャンした商品を前記特定のユーザのショッピング・カートに追加するステップと、
前記スキャナ・デバイスのセンサによって、前記特定のユーザの前記スキャナ・デバイスとの物理的な接触が失われたことが検出されると、前記特定のユーザから前記スキャナ・デバイスを自動的に関連付け解除するステップと、
を含む、方法。
【請求項１４】
前記特定のユーザの前記識別情報が前記特定のユーザのバイオメトリック情報である、請求項１３に記載の方法。
【請求項１５】
スキャナ・デバイスをユーザに関連付けるためのコンピュータ・プログラムであって、１つ以上のコンピュータ使用可能媒体上で具現化されるコンピュータ読み取り可能コードを含み、該コンピュータ読み取り可能コードが、コンピュータ上で実行されると前記コンピュータに請求項１から１４のいずれかのステップをコンピュータに実行させる命令を含む、コンピュータ・プログラム。
【請求項１６】
ユーザとの自動的な関連付けを行うように適合されたスキャナ・デバイスであって、
ユーザのバイオメトリック情報を取得するためのバイオメトリック・センサと、
商品の商品識別情報をスキャンするための商品スキャナ部と、
前記取得したバイオメトリック情報をコンピューティング・デバイスに送信するために適合された送信器であって、前記コンピューティング・デバイスが、前記送信されたバイオメトリック情報を以前にストアしたバイオメトリック情報と比較して前記ユーザを識別し、これによって前記識別したユーザに前記スキャナ・デバイスを自動的に関連付け、更に、前記商品識別情報を前記コンピューティング・デバイスに送信する、送信器と、
を含む、スキャナ・デバイス。
【請求項１７】
前記ユーザが前記スキャナ・デバイスとの接触を失ったときを検出するセンサを更に含み、前記ユーザが前記接触を失ったことを前記センサが検出すると前記ユーザの前記スキャナ・デバイスとの前記関連付けが自動的に解除される、請求項１６に記載のスキャナ・デバイス。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
光ファイバ構成要素の清掃道具であって、
外壁、密閉された底壁及び縁部を画定する開放端部を有する本体を画定する容器であって、第１の材料から形成された容器と、
前記外壁の少なくとも一部分の大きくて柔軟な作業面であって、前記容器の第１の材料とは異なる材料から形成された作業面と、
前記容器の内側に配置される複数の清掃用拭い布であって、前記拭い布が溶剤によって予め湿らされている、複数の清掃用拭い布と、
前記容器の開口部に亘って延在し、前記縁部で前記容器を密閉する密閉部であって、前記密閉部の開口部を画定するために、壊れやすい部分を有する密閉部と、
前記開放端部に亘って前記容器に装着された蓋であって、前記密閉部の壊れやすい部分と協同するための開口部を有する蓋と、
を具備する光ファイバ構成要素の清掃道具において、
清掃用拭い布が、前記密閉部の開口部と前記蓋の開口部とを介して前記容器の内部から供給され、清掃をするために前記作業面に配置される、
光ファイバ構成要素の清掃道具。
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
（ａ）少なくとも一つのチャンネルのオーディオ信号に対応して埋め込まれた付加情報を抽出する段階と、
（ｂ）前記付加情報を用いて前記オーディオ信号をデコーディングする段階と、
を含むことを特徴とする、オーディオ信号デコーディング方法。
【請求項２】
前記付加情報は、ブロック単位で前記オーディオ信号の挿入領域に埋め込まれることを特徴とする、請求項１に記載のオーディオ信号のデコーディング方法。
【請求項３】
前記付加情報は、前記挿入領域内でサンプルプレーンまたはビットプレーン順に埋め込まれることを特徴とする、請求項２に記載のオーディオ信号のデコーディング方法。
【請求項４】
前記付加情報は、前記挿入領域内で最上位ビットから埋め込まれるか、または、最下位ビットから埋め込まれることを特徴とする、請求項３に記載のオーディオ信号のデコーディング方法。
【請求項５】
前記付加情報はチャンネルを交互に替えながら前記挿入領域に埋め込まれることを特徴とする、請求項２に記載のオーディオ信号のデコーディング方法。
【請求項６】
前記オーディオ信号の少なくとも一つのチャンネルから前記付加情報に対するシンク情報を抽出する段階をさらに含むことを特徴とする、請求項１に記載のオーディオ信号のデコーディング方法。
【請求項７】
前記（ａ）段階は、
前記付加情報を、前記付加情報の挿入フレーム範囲までサンプル単位に抽出する段階を含むことを特徴とする、請求項１に記載のオーディオ信号のデコーディング方法。
【請求項８】
前記付加情報は、少なくとも２チャンネルのオーディオ信号に同じ値で繰り返し埋め込まれるか、または、反対符号の値で繰り返し埋め込まれることを特徴とする、請求項１に記載のオーディオ信号のデコーディング方法。
【請求項９】
前記付加情報に対するヘッダは、少なくとも１チャンネルのオーディオ信号にビットプレーン順に埋め込まれ、前記ヘッダ以外の部分は、サンプルプレーン順に埋め込まれることを特徴とする、請求項１に記載のオーディオ信号のデコーディング方法。
【請求項１０】
前記付加情報のヘッダから、前記付加情報が埋め込まれた挿入ビット長を読み出す段階をさらに含むことを特徴とする、請求項１に記載のオーディオ信号のデコーディング方法。
【請求項１１】
前記オーディオ信号は、マルチチャネル信号に対するダウンミックス信号を含むことを特徴とする、請求項１に記載のオーディオ信号のデコーディング方法。
【請求項１２】
前記付加情報は、マルチチャネル信号に対する空間情報を含むことを特徴とする、請求項１に記載のオーディオ信号のデコーディング方法。
【請求項１３】
オーディオ信号を受信するオーディオ信号受信部と、
前記オーディオ信号をデコーディングし、前記オーディオ信号の少なくとも一つのチャンネルに対応して埋め込まれた付加情報を抽出する埋め込み信号デコーディング部と、
前記デコーディングされたオーディオ信号及び前記デコーディングされた付加情報を用いてマルチチャンネルオーディオ信号を生成するマルチチャンネル生成部と、
を有することを特徴とするオーディオ信号のデコーディング装置。
【請求項１４】
前記付加情報は、ブロック単位で前記オーディオ信号の挿入領域に埋め込まれることを特徴とする、請求項１３に記載のオーディオ信号のデコーディング装置。
【請求項１５】
前記付加情報は、前記挿入領域内でサンプルプレーンまたはビットプレーン順に埋め込まれることを特徴とする、請求項１４に記載のオーディオ信号のデコーディング装置。
【請求項１６】
前記付加情報は、前記挿入領域内で最上位ビットから埋め込まれるか、または、最下位ビットから埋め込まれることを特徴とする、請求項１５に記載のオーディオ信号のデコーディング装置。
【請求項１７】
前記付加情報は、チャンネルを交互に替えながら前記挿入領域に埋め込まれることを特徴とする、請求項１４に記載のオーディオ信号のデコーディング装置。
【請求項１８】
前記埋め込み信号デコーディング部は、前記オーディオ信号の少なくとも一つのチャンネルから前記付加情報のためのシンク情報をさらに抽出することを特徴とする、請求項１３に記載のオーディオ信号のデコーディング装置。
【請求項１９】
前記埋め込み信号デコーディング部は、少なくとも一つのチャンネルのオーディオ信号に埋め込まれた前記付加情報に対するヘッダを、ビットプレーン順にデコーディングし、前記ヘッダ以外の付加情報は、サンプルプレーン順にデコーディングすることを特徴とする、請求項１３に記載のオーディオ信号のデコーディング装置。
【請求項２０】
前記埋め込み信号デコーディング部は、前記付加情報のヘッダから前記付加情報に対する挿入ビット長をさらに抽出することを特徴とする、請求項１３に記載のオーディオ信号のデコーディング装置。
【請求項２１】
オーディオ信号をデコーディングするために必要な付加情報を生成する段階と、
前記オーディオ信号の少なくとも一つのチャンネルに対応して前記付加情報を埋め込む段階と、
を含むオーディオ信号エンコーディング方法。
【請求項２２】
マルチチャンネルオーディオ信号からダウンミックスされたオーディオ信号を生成するオーディオ信号生成部と、
前記マルチチャンネルオーディオ信号から付加情報を生成する付加情報生成部と、
前記生成された付加情報をエンコーディングする付加情報エンコーディング部と、
前記オーディオ信号の少なくとも一つのチャンネルに対応する前記オーディオ信号に、前記付加情報を埋め込む埋め込み部と、
を有することを特徴とするオーディオ信号エンコーディング装置。
【手続補正２】
【補正対象書類名】明細書
【補正対象項目名】発明の名称
【補正方法】変更
【補正の内容】
【発明の名称】オーディオ信号の符号化／復号化方法及び符号化／復号化装置
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
フィルタ情報を受信する段階と、
前記フィルタ情報に空間情報を適用してサラウンド変換情報を生成する段階と、
前記サラウンド変換情報を出力する段階と、
を含むことを特徴とする、オーディオ信号のデコーディング方法。
【請求項２】
前記サラウンド変換情報を用いて前記空間情報に対応するダウンミックス信号を仮想サラウンド信号に変換する段階をさらに含むことを特徴とする、請求項１に記載のオーディオ信号のデコーディング方法。
【請求項３】
前記フィルタ情報は、変形されたフィルタ情報を含むことを特徴とする、請求項１に記載のオーディオ信号のデコーディング方法。
【請求項４】
前記フィルタ情報受信段階は、前記フィルタ情報を前記変形されたフィルタ情報に変換する段階を含むことを特徴とする、請求項１に記載のオーディオ信号のデコーディング方法。
【請求項５】
前記フィルタ情報適用段階は、
前記空間情報をチャネル別にマッピングしたチャネルマッピング情報を生成する段階と、
前記チャネルマッピング情報及び前記フィルタ情報を用いてチャネル係数情報を生成する段階と、
前記チャネル係数情報を用いて前記サラウンド変換情報を生成する段階と、
を含むことを特徴とする、請求項１に記載のオーディオ信号のデコーディング方法。
【請求項６】
前記サラウンド変換情報は、チャネル係数情報を合成した合成係数情報及び前記合成係数情報に追加処理を行った後処理係数情報のうちの少なくとも一つであり、
前記合成係数情報は、出力チャネル大きさ情報、出力チャネルエネルギー情報及び出力チャネル相関情報のうちの少なくとも一つであることを特徴とする、請求項５に記載のオーディオ信号のデコーディング方法。
【請求項７】
前記フィルタ情報適用段階は、
前記空間情報をチャネル別にマッピングしたチャネルマッピング情報を生成する段階と、
前記チャネルマッピング情報及び前記フィルタ情報を用いて前記サラウンド変換情報を生成する段階と、
を含むことを特徴とする、請求項１に記載のオーディオ信号のデコーディング方法。
【請求項８】
前記フィルタ情報適用段階は、
前記チャネルマッピング情報及び前記フィルタ情報を用いてチャネル係数情報を生成する段階と、
前記チャネル係数情報を用いて前記サラウンド変換情報を生成する段階と、
を含むことを特徴とする、請求項１に記載のオーディオ信号のデコーディング方法。
【請求項９】
ダウンミックス信号及び前記空間情報を受信する段階をさらに含むことを特徴とする、請求項１に記載のオーディオ信号のデコーディング方法。
【請求項１０】
前記ダウンミックス信号及び前記空間情報を含むオーディオ信号を受信する段階をさらに含み、
前記ダウンミックス信号及び前記空間信号は、前記オーディオ信号から抽出されることを特徴とする、請求項１に記載のオーディオ信号のデコーディング方法。
【請求項１１】
前記空間情報がＣＬＤとＩＣＣのうちの少なくとも一方を含むことを特徴とする、請求項１に記載のオーディオ信号のデコーディング方法。
【請求項１２】
フィルタ情報を受信するフィルタ情報受信部と、
前記フィルタ情報に空間情報を適用してサラウンド変換情報を生成する情報変換部と、
前記サラウンド変換情報を出力するサラウンド変換情報出力部と、
を含むことを特徴とする、オーディオ信号のデコーディング装置。
【請求項１３】
前記サラウンド変換情報を用いて前記空間情報に対応するダウンミックス信号を仮想サラウンド信号に変換する仮想サラウンド生成部をさらに含むことを特徴とする、請求項１２に記載のオーディオ信号のデコーディング装置。
【請求項１４】
前記フィルタ情報は、変形されたフィルタ情報を含むことを特徴とする、請求項１２に記載のオーディオ信号のデコーディング装置。
【請求項１５】
前記情報変換部は、前記フィルタ情報を前記変形されたフィルタ情報に変換することを特徴とする、請求項１２に記載のオーディオ信号のデコーディング装置。
【請求項１６】
前記情報変換部は、
前記空間情報をチャネル別にマッピングしたチャネルマッピング情報を生成するチャネルマッピング部と、
前記チャネルマッピング情報及び前記フィルタ情報を用いてチャネル係数情報を生成する係数生成部と、
前記チャネル係数情報を用いて前記サラウンド変換情報を生成する合成部と、
を含むことを特徴とする、請求項１２に記載のオーディオ信号のデコーディング装置。
【請求項１７】
前記サラウンド変換情報は、チャネル係数情報を合成した合成係数情報及び前記合成係数情報に追加処理を行った後処理係数情報のうちの少なくとも一つであり、
前記合成係数情報は、出力チャネル大きさ情報、出力チャネルエネルギー情報及び出力チャネル相関情報のうちの少なくとも一つであることを特徴とする、請求項１６に記載のオーディオ信号のデコーディング装置。
【請求項１８】
前記情報変換部は、前記空間情報をチャネル別にマッピングしたチャネルマッピング情報を生成し、前記チャネルマッピング情報及び前記フィルタ情報を用いて前記サラウンド変換情報を生成することを特徴とする、請求項１２に記載のオーディオ信号のデコーディング装置。
【請求項１９】
前記情報変換部は、前記チャネルマッピング情報及び前記フィルタ情報を用いてチャネル係数情報を生成し、前記チャネル係数情報を用いて前記サラウンド変換情報を生成することを特徴とする、請求項１２に記載のオーディオ信号のデコーディング装置。
【請求項２０】
ダウンミックス信号及び前記空間情報を受信する逆多重化部をさらに含むことを特徴とする、請求項１２に記載のオーディオ信号のデコーディング装置。
【請求項２１】
前記ダウンミックス信号及び前記空間情報を含むオーディオ信号を受信する逆多重化部をさらに含み、前記ダウンミックス信号及び前記空間信号は、前記オーディオ信号から抽出されることを特徴とする、請求項１２に記載のオーディオ信号のデコーディング装置。
【請求項２２】
前記空間情報がＣＬＤとＩＣＣのうちの少なくとも一方を含むことを特徴とする、請求項１２に記載のオーディオ信号のデコーディング装置。
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
オーディオ信号に挿入フレーム単位で埋め込まれた付加情報を抽出し、前記挿入フレーム長はフレーム毎に定義される段階と、
前記付加情報を用いて前記オーディオ信号をデコーディングする段階と、
を含むことを特徴とする、オーディオ信号のデコーディング方法。
【請求項２】
前記挿入フレームヘッダから前記挿入フレーム長に関する情報を抽出する段階をさらに含むことを特徴とする、請求項１に記載のオーディオ信号のデコーディング方法。
【請求項３】
前記挿入フレームから、前記付加情報に対する復号化フレームヘッダが存在するか否かを表す識別情報を抽出する段階をさらに含むことを特徴とする、請求項１に記載のオーディオ信号のデコーディング方法。
【請求項４】
前記復号化フレームヘッダから、前記付加情報が適用されるオーディオ信号の位置情報が存在するか否かを表す識別情報を抽出する段階をさらに含むことを特徴とする、請求項３に記載のオーディオ信号のデコーディング方法。
【請求項５】
前記識別情報によって前記オーディオ信号の位置情報を抽出する段階をさらに含むことを特徴とする、請求項４に記載のオーディオ信号のデコーディング方法。
【請求項６】
前記挿入フレーム長と前記付加情報の復号化フレーム長は、互いに対して整数倍の長さを有することを特徴とする、請求項１に記載のオーディオ信号のデコーディング方法。
【請求項７】
前記挿入フレーム長は、固定された長さに該当することを特徴とする、請求項１に記載のオーディオ信号のデコーディング方法。
【請求項８】
前記オーディオ信号は、マルチチャネル信号に対するダウンミックス信号を含むことを特徴とする、請求項１に記載のオーディオ信号のデコーディング方法。
【請求項９】
前記付加情報は、マルチチャネル信号に対する空間情報を含むことを特徴とする、請求項１に記載のオーディオ信号のデコーディング方法。
【請求項１０】
前記挿入フレーム長は、あらかじめ設定されていることを特徴とする、請求項１に記載のオーディオ信号のデコーディング方法。
【請求項１１】
前記挿入フレーム長と前記付加情報の復号化フレーム長はそれぞれ、互いに対して整数倍の長さを有することを特徴とする、請求項１０に記載のオーディオ信号のデコーディング方法。
【請求項１２】
前記挿入フレーム長は、固定された長さに該当することを特徴とする、請求項１０に記載のオーディオ信号のデコーディング方法。
【請求項１３】
オーディオ信号を受信するオーディオ信号受信部と、
前記オーディオ信号をデコーディングし、前記オーディオ信号に挿入フレーム単位で埋め込まれた付加情報を抽出する埋め込み信号デコーディング部と、
前記デコーディングされたオーディオ信号及び前記デコーディングされた付加情報を用いてマルチチャネルオーディオ信号を生成するマルチチャネル生成部と、を有し、
前記挿入フレーム長はフレーム毎に定義されることを特徴とするオーディオ信号のデコーディング装置。
【請求項１４】
前記埋め込まれた付加情報の挿入フレーム長を抽出する挿入フレーム長抽出部をさらに含むことを特徴とする、請求項１３に記載のオーディオ信号のデコーディング装置。
【請求項１５】
前記埋め込まれた付加情報から、前記挿入フレーム内に前記付加情報に対する復号化フレームヘッダが存在するか否かに関する識別情報を抽出する識別情報抽出部をさらに含むことを特徴とする、請求項１３に記載のオーディオ信号のデコーディング装置。
【請求項１６】
前記復号化フレームヘッダ内に前記付加情報が適用されるオーディオ信号の位置情報が存在するか否かに関する識別情報を抽出する識別情報抽出部をさらに含むことを特徴とする、請求項１５に記載のオーディオ信号のデコーディング装置。
【請求項１７】
前記挿入フレーム長と前記付加情報の復号化フレーム長とは、互いに対して整数倍の長さを有することを特徴とする、請求項１３に記載のオーディオ信号のデコーディング装置。
【請求項１８】
前記挿入フレーム長は、固定した長さであることを特徴とする、請求項１３に記載のオーディオ信号のデコーディング装置。
【請求項１９】
オーディオ信号をデコーディングするために必要な付加情報を生成する段階と、
前記オーディオ信号に挿入フレーム単位で前記生成された付加情報を埋め込む段階と、を有し、
前記挿入フレーム長は、フレーム毎に定義されることを特徴とするオーディオ信号のエンコーディング方法。
【請求項２０】
マルチチャネルオーディオ信号からダウンミックスされたオーディオ信号を生成するオーディオ信号生成部と、
前記マルチチャネルオーディオ信号から付加情報を生成する付加情報生成部と、
前記生成された付加情報をエンコーディングする付加情報エンコーディング部と、
前記ダウンミックスされたオーディオ信号に挿入フレーム単位で前記生成された付加情報を埋め込む埋め込み部と、を有し、
前記挿入フレーム長は、フレーム毎に定義されることを特徴とするオーディオ信号のエンコーディング装置。
【手続補正２】
【補正対象書類名】明細書
【補正対象項目名】発明の名称
【補正方法】変更
【補正の内容】
【発明の名称】オーディオ信号の符号化／復号化方法及び符号化／復号化装置
【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
オーディオ信号成分のうち非知覚的成分に埋め込まれた付加情報を抽出する段階と、
前記付加情報を用いて前記オーディオ信号をデコーディングする段階と、
を含むことを特徴とする、オーディオ信号のデコーディング方法。
【請求項２】
前記付加情報に対するヘッダ領域から、あらかじめ指定された大きさの情報を抽出する段階をさらに含むことを特徴とする、請求項１に記載のオーディオ信号のデコーディング方法。
【請求項３】
前記抽出されたヘッダ領域情報のうち、シンクワード以外のヘッダ領域情報に逆白色化技法を適用する段階をさらに含むことを特徴とする、請求項２に記載のオーディオ信号のデコーディング方法。
【請求項４】
前記逆白色化技法の適用されたヘッダ領域情報を用いて、前記ヘッダ領域の大きさ情報を得る段階をさらに含むことを特徴とする、請求項３に記載のオーディオ信号のデコーディング方法。
【請求項５】
前記付加情報の埋め込まれた挿入ビット長を抽出する段階をさらに含むことを特徴とする、請求項１に記載のオーディオ信号のデコーディング方法。
【請求項６】
前記挿入ビット長は、前記付加情報の埋め込まれるブロック内で固定された値を持つことを特徴とする、請求項５に記載のオーディオ信号のデコーディング方法。
【請求項７】
前記付加情報に逆白色化技法を適用する段階をさらに含むことを特徴とする、請求項１に記載のオーディオ信号のデコーディング方法。
【請求項８】
前記オーディオ信号に埋め込まれた少なくとも一つの誤り検出コードまたは誤り訂正コードを抽出し、前記抽出された誤り検出コードまたは前記誤り訂正コードを用いて前記付加情報の損傷の有無を判断する段階をさらに含むことを特徴とする、請求項１に記載のオーディオ信号のデコーディング方法。
【請求項９】
前記オーディオ信号は、ダウンミックス信号を含むことを特徴とする、請求項１に記載のオーディオ信号のデコーディング方法。
【請求項１０】
前記付加情報は、前記オーディオ信号に対する空間情報を含むことを特徴とする、請求項１に記載のオーディオ信号のデコーディング方法。
【請求項１１】
オーディオ信号を受信するオーディオ信号受信部と、
前記オーディオ信号をデコーディングし、前記オーディオ信号成分のうち非知覚的成分に埋め込まれた付加情報を抽出する埋め込み信号デコーディング部と、
前記デコーディングされたオーディオ信号及び前記デコーディングされた付加情報を用いてマルチチャネルオーディオ信号を生成するマルチチャネル生成部と、
を含むことを特徴とするオーディオ信号のデコーディング装置。
【請求項１２】
前記埋め込み信号デコーディング部は、前記付加情報に対するヘッダ領域から、あらかじめ指定された大きさのヘッダ領域情報を抽出する情報抽出部を含むことを特徴とする、請求項１１に記載のオーディオ信号のデコーディング装置。
【請求項１３】
前記情報抽出部は、前記抽出されたヘッダ領域情報のうち、シンクワード以外のヘッダ領域情報に逆白色化技法を適用する逆白色化適用部を含むことを特徴とする、請求項１２に記載のオーディオ信号のデコーディング装置。
【請求項１４】
前記逆白色化技法の適用されたヘッダ領域情報を用いて前記ヘッダ領域の大きさ情報を獲得する大きさ情報獲得部をさらに含むことを特徴とする、請求項１３に記載のオーディオ信号のデコーディング装置。
【請求項１５】
前記埋め込まれた付加情報から挿入ビット長を抽出する挿入ビット長抽出部をさらに含むことを特徴とする、請求項１１に記載のオーディオ信号のデコーディング装置。
【請求項１６】
前記挿入ビット長は、前記付加情報の埋め込まれるブロック内で固定した値を有することを特徴とする、請求項１５に記載のオーディオ信号のデコーディング装置。
【請求項１７】
前記オーディオ信号に埋め込まれた少なくとも一つの誤り検出コードまたは誤り訂正コードを抽出し、前記抽出された誤り検出コードまたは誤り訂正コードを用いて前記付加情報の損傷の有無を判断する誤り検出部をさらに含むことを特徴とする、請求項１１に記載のオーディオ信号のデコーディング装置。
【請求項１８】
オーディオ信号をデコーディングするために必要な付加情報を生成する段階と、
前記オーディオ信号の非知覚的な成分に、前記生成された付加情報を埋め込む段階と、
を含むオーディオ信号エンコーディング方法。
【請求項１９】
マルチチャネルオーディオ信号からダウンミックスされたオーディオ信号を生成するオーディオ信号生成部と、
前記マルチチャネルオーディオ信号から付加情報を生成する付加情報生成部と、
前記生成された付加情報をエンコーディングする付加情報エンコーディング部と、
前記ダウンミックスされたオーディオ信号に前記付加情報を再配置して埋め込む埋め込み部と、
を含むことを特徴とするオーディオ信号エンコーディング装置。
【手続補正２】
【補正対象書類名】明細書
【補正対象項目名】発明の名称
【補正方法】変更
【補正の内容】
【発明の名称】オーディオ信号の符号化／復号化方法及び符号化／復号化装置
【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
オーディオ信号にフレーム単位で付加情報が埋め込まれ、該フレームの長さがフレーム毎に定義される場合、または、オーディオ信号にフレーム単位で付加情報がアタッチされた場合のいずれかの場合に、前記付加情報を読み出す段階と、
前記読み出された付加情報を用いて前記オーディオ信号をデコーディングする段階と、
を含むことを特徴とする、オーディオ信号のデコーディング方法。
【請求項２】
前記フレームから、前記フレームの開始及び前記付加情報に対する復号化フレームの開始が一致するか否かを表す識別情報を読み出す段階をさらに含むことを特徴とする、請求項１に記載のオーディオ信号のデコーディング方法。
【請求項３】
前記フレームから、前記付加情報に対する復号化フレームヘッダが存在するか否かを表す識別情報を読み出す段階をさらに含むことを特徴とする、請求項１に記載のオーディオ信号のデコーディング方法。
【請求項４】
前記復号化フレームヘッダ内に前記付加情報が適用されるオーディオ信号の位置情報が存在しているか否かに対する識別情報を読み出す段階をさらに含むことを特徴とする、請求項３に記載のオーディオ信号のデコーディング方法。
【請求項５】
前記識別情報によって前記オーディオ信号の位置情報を読み出す段階をさらに含むことを特徴とする、請求項４に記載のオーディオ信号のデコーディング方法。
【請求項６】
前記フレーム長は正の整数であり、前記付加情報の復号化フレームを正の整数であるＮで除算または乗算して獲得されることを特徴とする、請求項１に記載のオーディオ信号のデコーディング方法。
【請求項７】
前記フレーム長は、固定された長さに該当することを特徴とする、請求項１に記載のオーディオ信号のデコーディング方法。
【請求項８】
前記オーディオ信号が第１のオーディオ信号である場合、前記付加情報が前記オーディオ信号に埋め込まれることを特徴とする、請求項１に記載のオーディオ信号のデコーディング方法。
【請求項９】
前記オーディオ信号が第２のオーディオ信号である場合、前記付加情報が前記オーディオ信号にアタッチされることを特徴とする、請求項１に記載のオーディオ信号のデコーディング方法。
【請求項１０】
前記オーディオ信号は、マルチチャネル信号に対するダウンミックス信号を含むことを特徴とする、請求項１に記載のオーディオ信号のデコーディング方法。
【請求項１１】
前記付加情報は、マルチチャネル信号に対する空間情報を含むことを特徴とする、請求項１に記載のオーディオ信号のデコーディング方法。
【請求項１２】
オーディオ信号にフレーム毎に定義されたフレーム長で付加情報が埋め込まれた場合及びオーディオ信号にフレーム毎に付加情報がアタッチされた場合のいずれかの場合に、前記付加情報を抽出する付加情報抽出部と、
前記付加情報を用いて前記オーディオ信号をデコーディングするマルチチャネル生成部と、
を含むことを特徴とするオーディオ信号のデコーディング装置。
【請求項１３】
前記抽出された付加情報は、前記フレーム内に前記フレームの開始及び前記付加情報に対する復号化フレームの開始の一致の有無を表す識別情報をさらに含むことを特徴とする、請求項１２に記載のオーディオ信号のデコーディング装置。
【請求項１４】
前記抽出された付加情報は、前記フレーム内に前記付加情報に対する復号化フレームヘッダが存在するか否かに関する識別情報をさらに含むことを特徴とする、請求項１２に記載のオーディオ信号のデコーディング装置。
【請求項１５】
前記フレーム長は正の整数であり、前記付加情報の復号化フレームを、正の整数であるＮで除算または乗算することによって獲得されることを特徴とする、請求項１２に記載のオーディオ信号のデコーディング装置。
【請求項１６】
前記オーディオ信号が第1オーディオ信号である場合、前記付加情報は前記オーディオ信号に埋め込まれたことを特徴とする、請求項１２に記載のオーディオ信号のデコーディング装置。
【請求項１７】
オーディオ信号及び前記オーディオ信号をデコーディングするために必要な付加情報を生成する段階と、
前記オーディオ信号にフレーム単位で前記付加情報を埋め込み、ここで、前記フレーム長はフレーム毎に定義される過程及び前記オーディオ信号にフレーム単位で前記付加情報をアタッチする過程のいずれかの過程を行う段階と、
を含むことを特徴とするオーディオ信号のエンコーディング方法。
【請求項１８】
オーディオ信号を生成するオーディオ信号生成部と、
前記オーディオ信号をデコーディングするために必要な付加情報を生成する付加情報生成部と、
前記付加情報を前記オーディオ信号にフレーム毎に定義されたフレーム長で埋め込む過程及び前記オーディオ信号にフレーム毎に前記付加情報をアタッチする過程のいずれかの過程を行う付加情報結合部と、
を含むことを特徴とするオーディオ信号のエンコーディング装置。
【手続補正２】
【補正対象書類名】明細書
【補正対象項目名】発明の名称
【補正方法】変更
【補正の内容】
【発明の名称】オーディオ信号の符号化／復号化方法及び符号化／復号化装置
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
２つの画像形成ユニットを備える印刷プロセスであって、それぞれが、粉末像が上に形成され得る画像媒体と、粉末像を転写するために画像媒体と接触可能な中間媒体とを含み、中間媒体は、粉末像を形成するためのトナーと組み合わせて、受容媒体の２つの別々の面に粉末像をほぼ同時に印刷するためのニップを共に形成する印刷プロセスであって、トナーがＡＰＩ流動性試験機を使用して測定される６以上の流動性を有することを特徴とする、印刷プロセス。
【請求項２】
トナーの流動性が３０より高くないことを特徴とする、請求項１に記載のトナーと組み合わせた印刷プロセス。
【請求項３】
トナーが、７０℃から８５℃の温度、および４００ラジアン／秒の変形周波数で、１Ｅ−０７／Ｐａの損失コンプライアンス（Ｊ”）を有することを特徴とする、請求項１または２に記載のトナーと組み合わせた印刷プロセス。
【請求項４】
トナーが、７５℃から８０℃の温度、および４００ラジアン／秒の変形周波数で、１Ｅ−０７／Ｐａの損失コンプライアンス（Ｊ”）を有することを特徴とする、請求項１から３のいずれか一項に記載のトナーと組み合わせた印刷プロセス。
【請求項５】
トナーがカーボンブラックでコーティングされていることを特徴とする、請求項１から４のいずれか一項に記載のトナーと組み合わせた印刷プロセス。
【請求項６】
請求項１から５のいずれか一項に記載の組み合わせを備える、プリンタ。
【請求項７】
２つの画像形成ユニットを備え、それぞれが、粉末像が上に形成され得る画像媒体と、粉末像を転写するために画像媒体と接触可能な中間媒体とを含み、中間媒体は、粉末像を形成するためのトナーと組み合わせて、受容媒体の２つの別々の面に粉末像をほぼ同時に印刷するためのニップを共に形成する印刷プロセスを使用するプリンタで適用するためのトナーを選択するための方法であって、トナーがＡＰＩ流動性試験機を使用して測定される６以上の流動性を有するように選択されることを特徴とする、方法。
【請求項８】
トナーがカーボンブラックでコーティングされている場合にトナーが選択されることを特徴とする、請求項７に記載のトナーを選択するための方法。
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
重合性エチレン系不飽和基でエンドキャップされたポリシロキサン含有ウレタンまたは尿素プレポリマーを含むモノマー混合物の重合産物である硬質気体透過性コンタクトレンズであって、酸素透過度が少なくとも100バレルであり、かつ、モジュラスが少なくとも800 Mpaであるコンタクトレンズ。
【請求項２】
靭性が少なくとも1.5 Mpa・mm/mmである請求項1に記載のコンタクトレンズ。
【請求項３】
酸素透過度が少なくとも120バレルである請求項1に記載のコンタクトレンズ。
【請求項４】
酸素透過度が少なくとも140バレルである請求項3に記載のコンタクトレンズ。
【請求項５】
酸素透過度が少なくとも160バレルである請求項4に記載のコンタクトレンズ。
【請求項６】
モノマー混合物がさらに親水性モノマーを含有する請求項1に記載のコンタクトレンズ。
【請求項７】
モノマー混合物が、N-ビニルピロリドンおよびメタクリル酸からなる群から選択される少なくとも一種のメンバーを含有する請求項6に記載のコンタクトレンズ。
【請求項８】
モノマー混合物がさらにフッ素化モノマーを含有する請求項1に記載のコンタクトレンズ。
【請求項９】
モノマー混合物が、フッ素化(メタ)アクリレートおよびフッ素化イタコネートからなる群から選択される少なくとも一種のメンバーを含有する請求項8に記載のコンタクトレンズ。
【請求項１０】
モノマー混合物がさらにエチレン系不飽和単官能ケイ素含有モノマーを含有する請求項1に記載のコンタクトレンズ。
【請求項１１】
モノマー混合物がさらにアルキル(メタ)アクリレートモノマーを含有する請求項1に記載のコンタクトレンズ。
【請求項１２】
モノマー混合物が、下記ブロック(Ｉ)とブロック(II)： 
(*Dii*Diol*Dii*PS)x        (Ｉ)
(*Dii*PS)y                 (II)
(式中、各Diiは独立してジイソシアネートのジラジカル残基であり、
各Diolは独立して1-10個の炭素原子を有するジオールのジラジカル残基であり、
各PSは独立してポリシロキサン-ジオールまたは-ジアミンのジラジカル残基であり、
各*は独立して-NH-CO-NH-、-NH-COO-または-OCO-NH-であり、
xはブロック(Ｉ)の数を表し少なくとも1であり、および
yはブロック(II)の数を表し少なくとも1である)
を含み、かつ、各末端がエチレン系不飽和基で終わっている少なくとも一種のプレポリマーを含有している請求項1に記載のコンタクトレンズ。
【請求項１３】
モノマー混合物が、下記一般式：
M(*Dii*Diol*Dii*PS)x (*Dii*PS)y*Dii*M               (III )または
M(*Dii*Diol*Dii*PS)x (*Dii*PS)y*Dii*Diol*Dii*M      (IV)
(式中、Dii、Diol、PS、*、xおよびyは前記定義と同じでありおよびMは重合性のエチレン系不飽和基である)で表されるプレポリマーを少なくとも一種含有している請求項1に記載のコンタクトレンズ。
【請求項１４】
モノマー混合物が、下記一般式：
Ｍ(*Dii*PS)x*Dii*M                     （Ｖ）
M(*Dii*PS*Dii*Diol)x*Dii*PS*Dii*M      (VI)
M(*Dii*Diol*Dii*PS)x*Dii*Diol*Dii*M     (VII )または
M(*PS*Dii)x’*PS*M                       (VIII)
(式中、各Diiは独立してジイソシアネートのジラジカル残基であり、
各Diolは独立して1-10個の炭素原子を有するジオールの残基であり、
各PSは独立してポリシロキサン-ジオールまたは-ジアミンのジラジカル残基であり、
各*は独立して-NH-CO-NH-、-NH-COO-または-OCO-NH-であり、
各Mは独立して重合性エチレン系不飽和基であり、および
xは、ブロック(Ｉ)の数を表しおよび少なくとも1であり、そして
x'は1以上の整数である) で表されるプレポリマーを少なくとも一種含有している請求項1に記載のコンタクトレンズ。
【請求項１５】
モノマー混合物が、ウレタンプレポリマーもしくは尿素プレポリマー；親水性モノマー；フッ素化モノマー；エチレン系不飽和単官能ケイ素含有モノマー；硬さを修正する(メタ)アクリレートモノマー；ならびに重合開始剤、紫外線遮断剤および着色剤からなる群から選択される少なくとも一種のメンバーを含有している請求項1に記載のコンタクトレンズ。
【請求項１６】
重合性エチレン系不飽和基でエンドキャップされたポリシロキサン含有ウレタンまたは尿素プレポリマーと、少なくとも1種の親水性モノマーとを含むモノマー混合物の重合産物である、酸素透過度が少なくとも100バレルであり、かつ、モジュラスが少なくとも800 Mpaである硬質気体透過性コンタクトレンズ用材料として有用なコポリマー。
【請求項１７】
硬質気体透過性コンタクトレンズの酸素透過度が少なくとも140 バレルである請求項16に記載のコポリマー。
【請求項１８】
モノマー混合物が、フッ素化モノマー；エチレン系不飽和単官能ケイ素含有モノマー；硬さを修正する(メタ)アクリレートモノマー；ならびに重合開始剤、紫外線遮断剤および着色剤からなる群から選択される少なくとも一種のメンバーを含有している請求項16に記載のコポリマー。
【請求項１９】
重合性エチレン系不飽和基でエンドキャップされたポリシロキサン含有ウレタンまたは尿素プレポリマーと、少なくとも1種の親水性モノマーとを含有するモノマー混合物の重合産物であるコポリマーから製造された円柱形ディスク、およびこのディスクとともに包装された、このディスクから酸素透過度が少なくとも100バレルであり、かつ、モジュラスが少なくとも800 Mpaである硬質気体透過性コンタクトレンズを旋盤で製作するための説明書を含む組合せ製品。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
喫煙具形装置と、
イメージ生成器と、
前記喫煙具形装置と連動して前記イメージ生成器からのイメージを表示することが可能な表示装置と、
を備える仮想又は拡張現実喫煙システム。
【請求項２】
前記喫煙具形装置が、円筒形又はシガレット形装置を含む、
ことを特徴とする請求項１に記載のシステム。
【請求項３】
前記喫煙具形装置内の移動センサと、
前記移動センサ及び前記イメージ生成器に通信可能に結合された移動センサトラッカーと、
を更に備える、
ことを特徴とする請求項１に記載のシステム。
【請求項４】
前記イメージ生成器が、前記移動センサトラッカーから前記イメージ生成器に提供された情報に基づいてイメージを適合させることができる、
ことを特徴とする請求項３に記載のシステム。
【請求項５】
前記喫煙具形装置が
中空円筒形装置と、
前記中空円筒形装置内に放出可能な香味料と、
前記中空円筒形装置内の空気流制御装置と、
前記中空円筒形装置内のセンサと、
を備えることを特徴とする請求項１に記載のシステム。
【請求項６】
表示装置とイメージ生成器とを使用した仮想又は拡張現実喫煙の方法であって、
前記イメージ生成器を使用して前記表示装置内で喫煙具形装置の喫煙を視覚的にシミュレートする段階を含む、
ことを特徴とする方法。
【請求項７】
前記イメージ生成器と通信するセンサを有する円筒形又はシガレット形装置を含む喫煙具形装置を準備する段階を更に含む、
ことを特徴とする請求項６に記載の方法。
【請求項８】
前記表示装置がヘッドマウントディスプレイであり、前記喫煙をシミュレートする段階が、
前記センサを使用して前記喫煙具形装置の位置及び／又は移動を感知する段階と、
前記イメージ生成器を使用してイメージを生成する段階と、
前記センサからの前記喫煙具形装置の感知した位置及び／又は移動に対応して、前記表示装置内に前記イメージを配置し表示する段階と、
を含むことを特徴とする請求項７に記載の方法。
【請求項９】
前記イメージを生成する段階が、シガレットの燃焼端部の仮想イメージ、又はシガレットの端部から放出されている副流煙の仮想イメージを生成する段階を含み、
前記イメージを配置し表示する段階が、前記喫煙具形装置の場所及び／又は移動に基づいて前記喫煙具形装置の一方の端部に前記仮想イメージを重畳する段階を含む、
ことを特徴とする請求項８に記載の方法。
【請求項１０】
前記喫煙をシミュレートする段階が、
前記センサを使用して前記喫煙具形装置内で吸入空気流を感知する段階と、
前記イメージ生成器を使用して前記感知した吸入空気流に基づいて前記喫煙具形装置の燃焼端部の仮想イメージを生成する段階と、
前記生成した仮想イメージを前記表示装置内で表示する段階と、
を含むことを特徴とする請求項７に記載の方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
第１の電極と、放射線を放射する、放射線に反応する、またはこれらの組み合わせである有機層とを各々が含む電子部品と、
第１の電極に取り付けられた導電性部材と
を含み、導電性部材が２４０℃以下の温度で溶融する材料を含むことを特徴とするワークピース。
【請求項２】
放射線を放射する、放射線に反応する、またはこれらの組み合わせである有機層を各々が含む電子部品を制御するよう設計された制御回路と、
制御回路の一部である、またはこれに電気的に接続されたコンダクタと、
コンダクタに取り付けられた導電性部材と
を含み、導電性部材が２４０℃以下の温度で溶融することを特徴とするワークピース。
【手続補正２】
【補正対象書類名】明細書
【補正対象項目名】０１９１
【補正方法】変更
【補正の内容】
【０１９１】
有益性、他の利点、および問題に対する解決策が、特定の実施形態に関して上述されてきた。しかしながら、いずれかの利点、または解決策を生じさせる、またはより明らかにさせ得る有益性、利点、問題に対する解決策、およびいずれかの特徴は、いずれかのまたはすべての特許請求の範囲の重要な、必要な、または必須の特徴として解釈されるべきではない。
なお、本発明の好ましい態様としては、以下のものを挙げることができる。
１  第１の電極と、放射線を放射する、放射線に反応する、またはこれらの組み合わせである有機層とを各々が含む電子部品と、
第１の電極に取り付けられた導電性部材と
を含み、導電性部材が２４０℃以下の温度で溶融する材料を含むことを特徴とするワークピース。
２  各第１の電極が、第１の電極に取り付けられた少なくとも１つの導電性部材を有すること
を特徴とする前記１に記載のワークピース。
３  導電性部材が、２つ以上の第１の電極に取り付けられていないことを特徴とする前記１に記載のワークピース。
４  ワークピースが、少なくともいくつかの電子部品に隣接して配設されている支持構造をさらに含むことを特徴とする前記１に記載のワークピース。
５  電子部品が少なくとも４，０００個の電子部品を含み、
導電性部材が、少なくとも４，０００個の電子部品に取り付けられた少なくとも４，０００個の導電性部材を含むことを特徴とする前記１に記載のワークピース。
６  電子部品が放射線放射部品を含むことを特徴とする前記１に記載のワークピース。
７  支持構造をさらに含むワークピースであって、
電子部品が、
第１の電極および赤色光発光有機層を含む赤色光発光部品と、
第１の電極および緑色光発光有機層を含む緑色光発光部品と、
第１の電極および青色光発光有機層を含む青色光発光部品と
を含み、
支持構造が、赤色光発光部品、緑色光発光部品および青色光発光部品の間に配設されており
導電性部材が、赤色光発光部品、緑色光発光部品および青色光発光部品の第１の電極に取り付けられていることを特徴とする前記６に記載のワークピース。
８  赤色光発光部品、緑色光発光部品および青色光発光部品が共通電極を共有し、
ワークピースは、放射線が、赤色光発光部品、緑色光発光部品および青色光発光部品の共通電極を透過できるように設計されていることを特徴とする前記７に記載のワークピース。
９  電子部品が、静止画像ディスプレイ、パッシブマトリックスディスプレイ、センサアレイ、または光電池の少なくとも一部であることを特徴とする前記１に記載のワークピース。
１０  放射線を放射する、放射線に反応する、またはこれらの組み合わせである有機層を各々が含む電子部品を制御するよう設計された制御回路と、
制御回路の一部である、またはこれに電気的に接続されたコンダクタと、
コンダクタに取り付けられた導電性部材と
を含み、導電性部材が２４０℃以下の温度で溶融することを特徴とするワークピース。
１１  導電性部材がインジウム含有材料を含むことを特徴とする前記１０に記載のワークピース。
１２  各コンダクタが、コンダクタに取り付けられた少なくとも１つの導電性部材を有することを特徴とする前記１０に記載のワークピース。
１３  導電性部材が２つ以上のコンダクタに取り付けられていないことを特徴とする前記１０に記載のワークピース。
１４  コンダクタが少なくとも４，０００個のコンダクタを含み、
導電性部材が、少なくとも４，０００個のコンダクタに取り付けられた少なくとも４，０００個の導電性部材を含むことを特徴とする前記１０に記載のワークピース。
１５  複数の第２の導電性部材および複数の第３の導電性部材をさらに含み、
制御回路の第１の組が、赤色光発光有機層を含む赤色光発光部品を制御するよう設計されており、
制御回路の第２の組が、緑色光発光有機層を含む緑色光発光部品を制御するよう設計されており、
制御回路の第３の組が、青色光発光有機層を含む青色光発光部品を制御するよう設計されており、
導電性部材が、制御回路の第１、第２および第３の組のコンダクタに取り付けられている
ことを特徴とする前記１４に記載のワークピース。
１６  導電性部材が、ワークピースのアレイ部分における１ｃｍ２当たり少なくとも１５．５個の導電性部材の密度であることを特徴とする前記１４に記載のワークピース。
１７  コンダクタの表面エネルギーが、導電性部材の表面エネルギーより低いことを特徴とする前記１０に記載のワークピース。
１８  導電性部材に接触するコンダクタの表面が、酸化インジウム−スズを含むことを特徴とする前記１０に記載のワークピース。
１９  基板をさらに含み、制御回路によって制御可能な電子部品から放射可能な放射線が、基板を透過することができることを特徴とする前記１０に記載のワークピース。
２０  基板をさらに含み、導電性部材をリフローするために用いることができる放射線が、基板を透過することができることを特徴とする前記１０に記載のワークピース。